(57)【要約】【課題】ポンプ性能の低下を生じさせることなく、異物によるポンプの拘束及び／または詰まり等を防止することができる汚水用ポンプを提供する。【解決手段】羽根車と、羽根車を収容するポンプケーシングと、を備える汚水用ポンプであって、羽根車の羽根の後縁部に対向するポンプケーシングの内周面に、羽根車の中心軸線周りに延びる、周方向の少なくとも１か所に切り欠き部を有する少なくとも１つの環状凸部が設けられており、羽根車の羽根の後縁部が、環状凸部と相補的な断面形状を有する凹部を備えており、凹部は、羽根車が回転する間、環状凸部が凹部内を通過する位置に形成されている、汚水用ポンプ。【選択図】図１
2019100271.tif 000002
【特許請求の範囲】
【請求項１】
羽根車と、前記羽根車を収容するポンプケーシングと、を備える汚水用ポンプであって、
前記羽根車の羽根の後縁部に対向する前記ポンプケーシングの内周面に、前記羽根車の中心軸線周りに延びる、周方向の少なくとも１か所に切り欠き部を有する少なくとも１つの環状凸部が設けられており、
前記羽根車の羽根の後縁部が、前記環状凸部と相補的な断面形状を有する凹部を備えており、
前記凹部は、前記羽根車が回転する間、前記環状凸部が前記凹部内を通過する位置に形成されている、汚水用ポンプ。
【請求項２】
前記環状凸部と前記凹部との間の隙間は、前記環状凸部が設けられていない前記ポンプケーシングの内周面と前記凹部が設けられていない前記羽根の後縁部との間の隙間と等しいか、または、これより小さい、請求項１に記載の汚水用ポンプ。
【請求項３】
前記環状凸部は、前記ポンプケーシングの内周面の、少なくとも吸込口側に配置されている、請求項１または２に記載の汚水用ポンプ。
【請求項４】
前記環状凸部は、周方向の複数箇所に等間隔で配置される切り欠き部を有しており、
前記切り欠き部の数は、前記羽根車の羽根の数の倍数以外の数である、請求項１〜３のいずれか一項に記載の汚水用ポンプ。
【請求項５】
前記ポンプケーシングは、ポンプケーシング本体と、前記ポンプケーシング本体とは別体の少なくとも１つの前記環状凸部と、を備えており、前記少なくとも１つの環状凸部は、前記ポンプケーシング本体を形成する材料よりも高い硬度を有する材料で形成されている、請求項１〜４のいずれか一項に記載の汚水用ポンプ。
【請求項６】
前記少なくとも１つの環状凸部は、羽根車の中心軸線周りに同軸上に配置される複数の環状凸部である、請求項１〜５のいずれか一項に記載の汚水用ポンプ。
【請求項７】
前記ポンプケーシングの内周面は、前記羽根車の羽根の後縁部に交差する向きに延びる溝を有しており、前記溝は、少なくとも前記環状凸部の切り欠き部内を通るように配置される、請求項１〜５のいずれか一項に記載の汚水用ポンプ。
【請求項８】
前記ポンプケーシングの内周面は、前記羽根車の羽根の後縁部に交差する向きに延びる溝を有しており、前記溝は、少なくとも前記複数の環状凸部の前記切り欠き部内を通るように配置される、請求項６に記載の汚水用ポンプ。
【発明の詳細な説明】
【技術分野】
【０００１】
本発明は、汚水用ポンプに関する。
【背景技術】
【０００２】
一般に汚水用ポンプでは、取り扱い液である汚水中に含まれる異物による羽根車の拘束または詰まりが問題となる。
【０００３】
従来の汚水用ポンプとして一般的な水中ポンプの構造の一例を図５に示す。一般に、汚水用の水中ポンプでは、羽根車の前面に側板を有しない、いわゆるオープン形羽根車が使用される。図５の水中ポンプは、主軸１を駆動するモータ部２と、主軸１の回転によって揚水を行うポンプ部３とを備えている。そして、ポンプ部３の圧力水がモータ部２側へ漏洩しないように、ポンプ部３とモータ部２の間で主軸１がメカニカルシール４−１、４−２で封止されている。
【０００４】
モータ部２では、主軸１と一体に回転するロータ５と、ステータ巻線を備えたステータ７とが、モータ室８内に収納されている。このモータ室８は、上方に開口した略円筒状のモータフレーム１０とモータフレーム１０の上端に連結したモータカバー１１で水密的に封止されているとともに、上部には、水中ケーブル１２が接続されている。
【０００５】
そして、主軸１は、モータカバー１１に取付けた上部軸受１３とモータフレーム１０の下端に連結した負荷側ブラケット１４の内周面に取付けた下部軸受１５を介して回転自在に支承されている。更に、モータカバー１１の上面には、湧水現場等へのポンプの吊下げや移動を行なう把手１６が設けられている。
【０００６】
一方、ポンプ部３は、複数の羽根４０を有し主軸１の先端にこれと一体に回転するように連結されたオープン形の羽根車４１を備えている。
【０００７】
ポンプ部３は、羽根車４１を収容するポンプ室を形成し、吐出口４２ａと吸込口４２ｂを有するポンプケーシング３０を備えている。ポンプケーシング３０は、吸込みカバー（換言すれば、吸込み側ケーシング）３１と、吐出し側ケーシング３２と、を備えている。吸込みカバー３１は、上方に向けて拡径しており、各羽根４０の後縁部（換言すれば、半径方向先端部またはチップ部）４０ｂが吸込みカバー３１の内周面に接近して配置される。羽根車４１は、吸込みカバー３１の吸込口４２ｂから湧水・汚水等を吸い込んで、吐出し側ケーシング３２の側面の吐出口４２ａから吐き出すようになっている。吐出口４２ａには、吐出曲管２４が連結されている。
【０００８】
このような構成の汚水用ポンプでは、オープン形羽根車４１の羽根４０の前縁部４０ａでの異物の引っ掻かりや、羽根４０の後縁部４０ｂと吸込みカバー３１との間の隙間への異物の噛み込みによって、ポンプの拘束や詰まりが生じ易い。
【０００９】
特許文献１は、ポンプの吸込み側もしくは羽根車に切断機構としてのグラインダーインペラ及びグラインダーリングが取り付けられたグラインダーポンプを記載している。特許文献２は、羽根車の羽根の後縁部に対向するポンプケーシングの内周面に、羽根車の入口側から出口側に向かう溝を形成することを記載している。溝の側壁面は、羽根車の回転方向に対向する向きに傾斜しており、溝の開口縁部のエッジにより異物が切断されるように構成されている。特許文献３は、羽根車の羽根のチップと対向するポンプケーシングの内周面に、軸方向に延びる溝と突起とを隣り合って形成することを記載している。溝は突起
よりも羽根車の回転方向の上流側に配置される。羽根のチップの角部が突起の角部を横切ることにより異物が切断され、溝を通過する。
【００１０】
特許文献１では、ポンプケーシングとは別部品としてのグラインダーインペラ及びグラインダーリングを設ける必要があるので、ポンプの製造コストが著しく大きくなる。また、特許文献２のように溝を設ける場合、溝の存在によって羽根とポンプケーシングとの間の隙間が拡大される。また、特許文献３のような溝と突起を設ける場合、突起と羽根の隙間が必要になるので、ポンプケーシングの周方向全体にわたって羽根とポンプケーシングとの間の隙間が拡大される。しかし、羽根とポンプケーシングとの間の隙間が大きくなると、圧力漏れによるポンプ性能の低下が生じる。
【先行技術文献】
【特許文献】
【００１１】
【特許文献１】特開昭５８−３８３９６号公報
【特許文献２】実開平７−１０４９５号公報
【特許文献３】特開２００９−１７４４５５号公報
【発明の概要】
【発明が解決しようとする課題】
【００１２】
本発明の一実施形態によれば、ポンプ性能の低下を生じさせることなく、異物によるポンプの拘束及び／または詰まり等を防止することができる汚水用ポンプを提供することができる。また、本発明の一実施形態によれば、製造コストを著しく増加させることなく、簡易な構成によって異物によるポンプの拘束及び／または詰まり等を防止することができる汚水用ポンプを提供することができる。
【課題を解決するための手段】
【００１３】
本発明の一実施形態によれば、羽根車と、羽根車を収容するポンプケーシングと、を備える汚水用ポンプであって、羽根車の羽根の後縁部に対向するポンプケーシングの内周面に、羽根車の中心軸線周りに延びる、周方向の少なくとも１か所に切り欠き部を有する少なくとも１つの環状凸部が設けられており、羽根車の羽根の後縁部が、環状凸部と相補的な断面形状を有する凹部を備えており、凹部は、羽根車が回転する間、環状凸部が凹部内を通過する位置に形成されている、汚水用ポンプが提供される。
【図面の簡単な説明】
【００１４】
【図１】本発明の第１実施形態による汚水用ポンプの一例を示す図である。
【図２】図１の部分拡大図である。
【図２Ａ】羽根車の羽根と吸込みカバーとの間の隙間を説明する図である。
【図３Ａ】図１の汚水用ポンプの吸込みカバーの内周面の部分を示す図である。
【図３Ｂ】図１の汚水用ポンプの吸込みカバーの内周面の全体を示す図である。
【図３Ｃ】環状凸部の切り欠き部を説明する図である。
【図３Ｄ】羽根車の回転中における羽根と吸込みカバーとの間の隙間を説明する図である。
【図４Ａ】本発明の第２実施形態による汚水用ポンプの吸込みカバーの内周面を示す部分図である。
【図４Ｂ】本発明の第２実施形態による汚水用ポンプの吸込みカバーの内周面を示す全体図である。
【図５】オープン形羽根車を有する汚水用ポンプの従来例を示す図である。
【発明を実施するための形態】
【００１５】
以下、本発明の各実施形態について図面を参照して説明する。なお、以下の説明はあく
までも一例を示すものであって、本願発明の技術的範囲を以下の実施形態に限定する趣旨ではない。また、図面では、同一または相当する構成要素には、同一の符号を付して重複した説明を省略する。尚、以下の説明において、「上」、「下」等の方向を示す用語は、図１に示す汚水用水中ポンプの設置状態における方向を意味する。また、本発明の各実施形態は、汚水用ポンプのポンプ部に特徴がある。従って、以下の説明では、ポンプ部の構成要素についてのみ説明し、モータ部については説明を省略する。本発明の各実施形態による汚水用ポンプのモータ部の構成は、図５に参照して説明したもののほか、従来既知のいかなる構成であってもよい。
【００１６】
［第１実施形態］
図１に本発明の第１実施形態による汚水用水中ポンプの一例を示す。
図１の汚水用水中ポンプは、オープン形の羽根車９１を有し、羽根車９１は、ポンプ部９のポンプケーシング１００に収容される。羽根車９１は、複数の羽根９０を有し、主軸１の先端にこれと一体に回転するように連結されている。尚、本実施形態において、羽根車９１の羽根９０の枚数は特に限られない。
【００１７】
ポンプ部９は、ポンプ室を形成し、吐出口９２ａと吸込口９２ｂを有する。図１の例では、ポンプケーシング１００は、吸込みカバー（換言すれば、吸込み側ケーシング）１０１と、吐出し側ケーシング１０２と、を備えている。吸込みカバー１０１の吸込口９２ｂから湧水・汚水等の取り扱い液（以下、汚水等）が吸い込まれ、羽根９０の前縁部９０ａを通過して各羽根９０の間の流路に流入する。羽根車９１から吐出し側ケーシング１０２内に吐き出された汚水等は、吐出し側ケーシング１０２の側面の吐出口９２ａから吐出曲管２４を通って吐き出される。
【００１８】
図１に示すように、本実施形態の汚水用水中ポンプの吸込みカバー１０１は、上方に向けて拡径しており、各羽根９０の後縁部９０ｂが吸込みカバー１０１の内周面（図１では符号省略）に接近して配置される。図１に示すように、吸込みカバー１０１における、羽根車９１の羽根９０の後縁部９０ｂに対向する内周面には、羽根車９１の中心軸線Ａの周りに延びる実質的に環状の凸部（換言すれば、突起）１０４が設けられている。後述するように、環状凸部１０４は、周方向の少なくとも１か所に切り欠き部を有する。羽根９０の後縁部９０ｂには、環状凸部１０４に対向する位置に配置される凹部（換言すれば、切り欠き部）９４が設けられている。環状凸部１０４と凹部９４とは、実質的に相補的な断面形状を有するように形成されている。これにより、羽根車９１が回転する間、環状凸部１０４は、凹部９４内を通過することができる。尚、ここで断面形状とは、図１に示すような羽根車９１の中心軸線Ａに沿う断面形状を意味する。断面形状の具体例は、特に限られない。断面形状は、例えば図１に示すような三角形状の他、矩形形状、または、半円形状等であってもよい。
【００１９】
図２は、図１の部分拡大図である。吸込みカバー１０１の環状凸部１０４と羽根９０の凹部９４との間の隙間を、環状凸部１０４が設けられていない吸込みカバー１０１の内周面１０１ａと凹部９４が設けられていない羽根９０の後縁部９０ｂとの間の隙間と等しいか、または、これより小さく設定することができる。これにより、羽根９０と吸込みカバー１０１との間の隙間による圧力漏れの発生を最小限にすることができる。図２の例では、吸込みカバー１０１の環状凸部１０４と羽根９０の凹部９４との間の隙間Ｄ１は、環状凸部１０４が設けられていない吸込みカバー１０１の内周面１０１ａと凹部９４が設けられていない羽根９０の後縁部９０ｂとの間の隙間Ｄ２と等しい（図２Ａを参照）。
【００２０】
図３Ａは、汚水用ポンプの吸込みカバー１０１の内周面１０１ａの部分を示す図であり、図３Ｂは、吸込みカバー１０１の内周面１０１ａの全体を示す図である。図示されるように、吸込みカバー１０１の環状凸部１０４は、吸込みカバー１０１の周方向の少なくと
も一箇所に切り欠き部１０６を有している。換言すれば、環状凸部１０４は、環状凸部１０４を横断する方向に形成される少なくとも１つの切り欠き部１０６を有している。切り欠き部１０６の寸法（例えば、深さ）は、特に限られない。従って、切り欠き部１０６の底面は、図３Ａに示すように、環状凸部１０４の周囲の吸込みカバー１０１の内周面１０１ａと実質的に面一であってもよいし、内周面１０１ａに対して高さを有していてもよい。また、図３Ｃに示すように、環状凸部１０４の周方向の側面１０４ａと、切り欠き部１０６を形成する環状凸部１０４の端面（換言すれば、切断面）１０４ｂとの間の開口縁部１０５は、鋭利な角部を形成することができる。角部は、羽根車９１の回転に伴って汚水等中の異物を切断することができるカッター部として作用する。
【００２１】
尚、図３Ｂに示すように、切り欠き部１０６は、吸込みカバー１０１の内周面１０１ａの全周にわたって延びる環状凸部１０４の不連続部分を形成する。本実施形態では、この不連続部分も含めた周方向の凸部１０４の形状を環状（換言すれば、リング状）と称する。換言すれば、本実施形態の環状凸部１０４は、周方向に沿って切り欠き部１０６を介して隣接する端部を有する、１つまたは複数の円弧状の突起部から構成される。
【００２２】
この構成により、吸込口９２ｂから吸い込まれた汚水等中の異物を、切り欠き部１０６の開口縁部１０５により切断することができる。これにより、羽根車９１の羽根９０の前縁部９０ａへの異物の引っ掛かりまたは羽根９０の後縁部９０ｂと吸込みカバー１０１との間の異物の噛み込みを防止することができ、従って異物によるポンプの拘束または詰まりを防止することができる。尚、環状凸部１０４は、吸込みカバー１０１の内周面の、少なくとも吸込口側（換言すれば、羽根９０の後縁部９０ｂと対向する領域内で、羽根車９１の中心軸線Ａに沿う方向において中央より下方の位置）に配置されていることが好ましい。例えば図１の下側の環状凸部１０４のように、できるだけ吸込口９２ｂに近い位置（換言すれば、羽根車９１の羽根９０の前縁部９０ａに近い位置）に配置することが好ましい。
【００２３】
また、吸込みカバー１０１及び羽根９０の後縁部９０ｂには、それぞれ、図１に示すように、同心円状に（換言すれば、羽根車９１の中心軸線Ａの周りに同軸上に）配置される複数（図１の例では２つ）の環状凸部１０４及びこれらに対応する凹部９４を設けることができる。
【００２４】
また、１つの環状凸部１０４に対し、複数の切り欠き部１０６を設けることができ、複数の切り欠き部１０６は周方向に等間隔に設けることが好ましい。この場合、切り欠き部１０６の数は、羽根車９１の羽根９０の数の倍数以外の数であることが好ましい。例えば、２枚の羽根９０（通常、等間隔で配置される）を有する羽根車９１に対して、周方向に等間隔で４つの切り欠き部１０６が配置された場合、羽根９０は、２つの切り欠き部１０６と同時に交差する。図３Ｄに示すように、羽根９０が切り欠き部１０６と交差する際、環状凸部１０４の高さが無い（または低くなる）分だけ、羽根９０の凹部９４と吸込みカバー１０１との間の隙間が大きくなる（図３Ｄの隙間Ｄ３を参照。破線は環状凸部１０４があった場合を示す）。これは圧力漏れの原因となるので、切り欠き部１０６と羽根９０とが同時に複数箇所で交差しないように、周方向に配列される切り欠き部１０６の数は、羽根車９１の羽根９０の数の倍数以外の数であることが好ましい。
【００２５】
環状凸部１０４は、吸込みカバー本体に取り付けられる、吸込みカバー本体とは別個の部材であってもよい。これにより、環状凸部１０４を、吸込みカバー本体を形成する材料と異なる材料で容易に形成することができる。切り欠き部１０６の開口縁部１０５が摩耗し易いため、環状凸部１０４は、高い硬度を有する材料で製作することが好ましい。高い硬度を有する材料は高価であるので、環状凸部１０４のみを高硬度材料で形成することにより、吸込みカバー全体の製造コストを抑えることができる。
【００２６】
このように、本発明の第１実施形態によれば、ポンプケーシング１００（図示の例では吸込みカバー１０１）における、羽根車９１の羽根９０の後縁部９０ｂに対向する内周面１０１ａに環状凸部１０４が設けられ、環状凸部１０４の周方向の少なくとも１か所に切り欠き部１０６が形成される。切り欠き部１０６の開口縁部１０５は角部を形成するので、羽根車９１の回転に伴い、ポンプケーシング１００のポンプ室に吸い込まれた異物を開口縁部１０５で切断することができる。従って、異物によるポンプの拘束または詰まりを防止することができる。
【００２７】
さらに、本発明の第１実施形態では、羽根９０の後縁部９０ｂに、環状凸部１０４と相補的な断面形状を有する凹部９４が配置され、羽根車９１が回転する間、環状凸部１０４は、凹部９４内を通過する。従って、従来技術と異なり、羽根９０とポンプケーシング１００の内周面１０１ａとの間の隙間が拡大されることによるポンプ性能の低下を効果的に抑制することができる。周方向に等間隔で複数の切り欠き部１０６が形成される場合には、切り欠き部１０６の数を羽根９０の枚数の倍数以外の数にすることによって、切り欠き部１０６と羽根９０とが同時に複数箇所で交差することを防止することができる。これにより、隙間の拡大によるポンプ性能の低下を効果的に抑制することができる。また、羽根９０の後縁部９０ｂの凹部９４は、切り欠き部１０６の角部とのせん断作用によって、より効果的に異物の切断を行うことを可能にする。
【００２８】
また、環状凸部１０４を設けたポンプケーシング１００及びこれに対応する凹部９４が形成された羽根車９１の羽根９０は、それぞれ、鋳物による一体成形が可能である。従って、例えば従来のグラインダーポンプのような外付けの部材を必要とすることがなく、これにより、ポンプの製造コストの増加を抑えることができる。また、環状凸部１０４を別部材として製造する際には、環状凸部１０４のみを、ポンプケーシング本体よりも高い硬度を有する材料で製造することができる。これにより、耐摩耗性に優れた環状凸部１０４を有するポンプケーシング１００を低コストで製造することができる。
【００２９】
［第２実施形態］
次に、図４Ａ及び図４Ｂを参照して、本発明の第２実施形態による汚水用ポンプを説明する。本発明の第２実施形態による汚水用ポンプは、吸込みカバーの内周面に、羽根車の羽根の後縁部と交差する向きに延びる溝が形成されている点を除いて、第１実施形態の汚水用ポンプと実質的に同様の構成を備えている。従って、以下の説明では、特に吸込みカバーの構成について説明し、他の構成要素については詳しい説明を省略する。
【００３０】
図４Ａは、本発明の第２実施形態による汚水用ポンプの吸込みカバー２０１の内周面２０１ａを示す部分図であり、図４Ｂは、吸込みカバー２０１の内周面２０１ａを示す全体図である。図４Ａに示すように、吸込みカバー２０１の内周面は、環状凸部１０４と同様に構成される環状凸部２０４に加えて、羽根９０の後縁部９０ｂと交差する向きに延びるように形成された溝２０８を有している。仮に溝２０８が羽根９０の後縁部９０ｂに対して平行もしくは同方向に同等の曲率に形成されると、羽根９０の後縁部９０ｂと吸込みカバー２０１との間の隙間が、溝２０８の全長にわたって大きくなるので圧力漏れが生じ易い。本実施形態では、溝２０８は羽根９０の後縁部９０ｂと交差する向きに延びているので、羽根９０の後縁部９０ｂと吸込みカバー２０１との間の隙間は、溝２０８と後縁部９０ｂとの交差部で大きくなるのみである。従って、圧力漏れを最小限に抑えることができる。また、図４Ａ及び図４Ｂに示すように、溝２０８は、少なくとも環状凸部２０４の切り欠き部２０６内を通るように形成される。これにより、切り欠き部２０６で切断された異物を、溝２０８に沿って効果的に排出することができる。図示の例のように、同心円状に複数の環状凸部２０４が形成されている場合、溝２０８は、吸込み側から吐き出し側に向けて、複数の環状凸部２０４の切り欠き部２０６内を通るように形成することができる
。溝２０８は、吸込み側から吐き出し側に向けて、羽根車９１の回転方向の下流側に傾斜して延びるように形成されることが好ましい。尚、図４Ａ及び図４Ｂにおいて、羽根車９１の回転方向は矢印Ｒで示されており、これは、吸込みカバー２０１を吐き出し側から見た場合に時計回りの方向である。これにより、水を、その流れの強さを大きく損なうことなく溝２０８に流入させることができる。従って、異物を、強い流れで溝２０８に沿って押し出すことができる。
【００３１】
このように、本発明の第２実施形態では、吸込みカバー２０１の内周面２０１ａは、羽根９０の後縁部９０ｂと交差する向きに延びるように形成された溝２０８を有し、溝２０８は、少なくとも環状凸部２０４の切り欠き部２０６内を通るように配置されている。従って、本発明の第２実施形態は、第１実施形態で得られる効果に加えて、例えば次のような効果を奏することができる。
・溝２０８は、少なくとも環状凸部２０４の切り欠き部２０６内を通るので、切り欠き部２０６で切断された異物を、溝２０８を通して効果的に排出することができる。
・溝２０８は、羽根９０の後縁部９０ｂと交差する向きに延びるので、羽根９０の後縁部９０ｂと吸込みカバー２０１との間の隙間は、交差部で大きくなるのみである。従って、隙間の拡大による圧力漏れを最小限に抑えることができる。
【００３２】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【００３３】
本発明は、以下の態様を含む。
１．羽根車と、羽根車を収容するポンプケーシングと、を備える汚水用ポンプであって、羽根車の羽根の後縁部に対向するポンプケーシングの内周面に、羽根車の中心軸線周りに延びる、周方向の少なくとも１か所に切り欠き部を有する少なくとも１つの環状凸部が設けられており、羽根車の羽根の後縁部が、環状凸部と相補的な断面形状を有する凹部を備えており、凹部は、羽根車が回転する間、環状凸部が凹部内を通過する位置に形成されている、汚水用ポンプ。
２．環状凸部と凹部との間の隙間は、環状凸部が設けられていないポンプケーシングの内周面と凹部が設けられていない羽根の後縁部との間の隙間と等しいか、または、これより小さい、上記１．に記載の汚水用ポンプ。
３．環状凸部と凹部は、ポンプケーシングの内周面の、少なくとも吸込口側に配置されている、上記１．または２．に記載の汚水用ポンプ。
４．環状凸部は、周方向の複数箇所に等間隔で配置される切り欠き部を有しており、切り欠き部の数は、羽根車の羽根の数の倍数以外の数である、上記１．〜３．のいずれかに記載の汚水用ポンプ。
５．ポンプケーシングは、ポンプケーシング本体と、ポンプケーシング本体とは別体の少なくとも１つの環状凸部と、を備えており、少なくとも１つの環状凸部は、ポンプケーシング本体を形成する材料よりも高い硬度を有する材料で形成されている、上記１．〜４．のいずれかに記載の汚水用ポンプ。
６．少なくとも１つの環状凸部は、羽根車の中心軸線周りに同軸上に配置される複数の環状凸部である、上記１．〜５．のいずれかに記載の汚水用ポンプ。
７．ポンプケーシングの内周面は、羽根車の羽根の後縁部に交差する向きに延びる溝を有しており、溝は、少なくとも環状凸部の切り欠き部内を通るように配置される、上記１．〜５．のいずれかに記載の汚水用ポンプ。
８．ポンプケーシングの内周面は、羽根車の羽根の後縁部に交差する向きに延びる溝を有
しており、溝は、少なくとも複数の環状凸部の切り欠き部内を通るように配置される、上記６．に記載の汚水用ポンプ。
【産業上の利用可能性】
【００３４】
本発明は、汚水用ポンプに広く適用することができる。
【符号の説明】
【００３５】
Ａ  中心軸線
Ｒ  回転方向
Ｄ１、Ｄ２、Ｄ３  隙間
１  主軸
２  モータ部
３、９  ポンプ部
４−１、４−２  メカニカルシール
５  ロータ
７  ステータ
８  モータ室
１０  モータフレーム
１１  モータカバー
１２  水中ケーブル
１３  上部軸受
１４  負荷側ブラケット
１５  下部軸受
１６  把手
２４  吐出曲管
３０  ポンプケーシング
３１  吸込みカバー（吸込み側ケーシング）
３２  吐出し側ケーシング
４０  羽根
４０ａ  前縁部
４０ｂ  後縁部
４１  オープン形羽根車
４２ａ  吐出口
４２ｂ  吸込口
９０  羽根
９０ａ  前縁部
９０ｂ  後縁部
９１  オープン形羽根車
９２ａ  吐出口
９２ｂ  吸込口
９４  凹部
１００  ポンプケーシング
１０１  吸込みカバー（吸込み側ケーシング）
１０１ａ  内周面
１０２  吐出し側ケーシング
１０４  環状凸部
１０４ａ  側面
１０４ｂ  端面
１０５  開口縁部
１０６  切り欠き部
２０１  吸込みカバー（吸込み側ケーシング）
２０１ａ  内周面
２０４  環状凸部
２０６  切り欠き部
２０８  溝
【図１】
2019100271.tif 000003
【図２】
2019100271.tif 000004
【図２Ａ】
2019100271.tif 000005
【図３Ａ】
2019100271.tif 000006
【図３Ｂ】
2019100271.tif 000007
【図３Ｃ】
2019100271.tif 000008
【図３Ｄ】
2019100271.tif 000009
【図４Ａ】
2019100271.tif 000010
【図４Ｂ】
2019100271.tif 000011
【図５】
2019100271.tif 000012